(57)【要約】【課題】電子ユニットや配線板などの内装品が確実に保護されながら組立てられることのできる電気接続箱およびその製造方法を提供する。【解決手段】各内装品１０１　，１０２　が収容される接続箱本体７０と、接続箱本体７０に装着されて各内装品１０１　，１０２　を保護するカバー６０とを備え、接続箱本体７０に対し、カバー６０は正規の位置で本固定が可能とされると共に、正規の位置と異なる他の位置で仮固定が可能とされた。接続箱本体７０にカバー６０が仮固定される際のカバー６０の取付方向は、接続箱本体７０にカバー６０が本固定される際のカバー６０の取付方向に対し反対の方向とされた。接続箱本体７０に内装品１０１　を収容し、接続箱本体７０にカバー６０を仮固定させて内装品１０１　を保護し、接続箱本体７０からカバー６０を取外し、内装品１０１　に他の内装品を装着させた後に、接続箱本体７０にカバー６０を本固定させる。【選択図】　　　図１
2004096899.tif 000002
【特許請求の範囲】
【請求項１】
各内装品が収容される接続箱本体と、該接続箱本体に装着されて各内装品を保護するカバーとを備え、該接続箱本体に対し、該カバーは、正規の位置で本固定が可能とされると共に、該正規の位置と異なる他の位置で仮固定が可能とされたことを特徴とする電気接続箱。
【請求項２】
前記接続箱本体に前記カバーが仮固定される際の該カバーの取付方向は、該接続箱本体に該カバーが本固定される際の該カバーの取付方向に対し、反対の方向とされたことを特徴とする請求項１記載の電気接続箱。
【請求項３】
前記接続箱本体の仮係止部に、前記カバーの仮係合部が係り合わされることで、該接続箱本体に該カバーが仮固定されることを特徴とする請求項１又は２記載の電気接続箱。
【請求項４】
前記接続箱本体の本係合部に、前記カバーの本係止部が係り合わされることで、該接続箱本体に該カバーが本固定されることを特徴とする請求項１〜３の何れか１項に記載の電気接続箱。
【請求項５】
前記カバーにガイド部が設けられ、該ガイド部に対応して前記接続箱本体にガイド受け部が設けられ、該接続箱本体に該カバーが仮固定される際に、該ガイド部と、該ガイド受け部とが合わせられ、且つ、該接続箱本体に該カバーが本固定される際に、該ガイド部と、該ガイド受け部とが合わせられることを特徴とする請求項１〜４の何れか１項に記載の電気接続箱。
【請求項６】
前記カバーに他のガイド部が設けられ、該他のガイド部に対応して前記接続箱本体に他のガイド受け部が設けられ、該接続箱本体に該カバーが仮固定される際に、該他のガイド部と、該他のガイド受け部とは不一致の状態とされ、該接続箱本体に該カバーが本固定される際に、該他のガイド部と、該他のガイド受け部とが合わせられることを特徴とする請求項１〜５の何れか１項に記載の電気接続箱。
【請求項７】
前記他のガイド部に請求項３記載の仮係合部が設けられ、前記接続箱本体を形成する側壁に請求項３記載の仮係止部が設けられたことを特徴とする請求項６記載の電気接続箱。
【請求項８】
前記カバーを形成する側壁に本係止部が設けられ、該本係止部に対応して前記接続箱本体を形成する側壁に本係合部が設けられたことを特徴とする請求項１〜７の何れか１項に記載の電気接続箱。
【請求項９】
前記各内装品として、端子が立設された配線板と、該端子に対応した相手側端子を備えるコネクタ付の電子ユニットとが用いられ、該配線板の上層部に該電子ユニットが搭載されることで、該端子と、該相手側端子とが通電可能に接続されることを特徴とする請求項１〜８の何れか１項に記載の電気接続箱。
【請求項１０】
前記端子は、前記配線板に装着されたバスバーの一方に設けられ、該バスバーの他方と、該配線板に配索された電線とが接続されて、該配線板に電気回路が構成され、前記電子ユニットに装着された前記コネクタは、該コネクタに装備された前記相手側端子の一部が、該電子ユニットを構成する基板の回路導体にはんだ付けされたＰＣＢ用コネクタとして用いられたことを特徴とする請求項９記載の電気接続箱。
【請求項１１】
接続箱本体に内装品を収容し、該接続箱本体にカバーを仮固定させて該内装品を保護し、該接続箱本体から該カバーを取外し、該内装品に他の内装品を装着させた後に、該接続箱本体に該カバーを本固定させることを特徴とする電気接続箱の製造方法。
【発明の詳細な説明】
【０００１】
【発明の属する技術分野】
本発明は、例えば自動車の電子制御装置とされる電子ユニットや、配線板などの内装品が、確実に保護されながら組立てられることのできる電気接続箱およびその製造方法に関するものである。
【０００２】
【従来の技術】
図１０は、従来の電気接続箱の一形態を示すものである。
この電気接続箱５０１は、合成樹脂製の上カバー５０２と、下カバー５０３すなわち接続箱本体と、両カバー５０２，５０３の間に積層されて収容される電線配線板５０４と、バスバー配線板５０５とを備えるものとして構成されている。
【０００３】
電線配線板５０４は、合成樹脂製の絶縁基板部５０６と、絶縁基板部５０６の表面に布線される複数本の絶縁被覆電線５０７と、絶縁基板部５０６を貫通すると共に電線５０７に圧接される端子５０８とを備えるものとして構成されている。端子５０８の一方側に圧接部５０８ａが設けられ、端子５０８の他方側に雄タブ状の電気接触部５０８ｂが設けられている。
【０００４】
また、バスバー配線板５０５は、絶縁基板部５０９と、この絶縁基板部５０９の表面に配索された複数本のバスバー５１０とを備えるものとして構成されている。バスバー５１０は、一体に立ち上げられた雄タブ状の端子５１１、又は、一体に立ち下げられた雄タブ状の端子５１１を備えるものとされている。
【０００５】
各端子５０８，５１１は、上カバー５０２や下カバー５０３の各ハウジング５１２，５１３内に突出され、端子５０８，５１１と、ハウジング５１２，５１３とが組み合わされることによりコネクタが構成される。コネクタには外部ワイヤハーネスのコネクタ（図示せず）が接続される。
【０００６】
【発明が解決しようとする課題】
しかしながら、上記従来の電気接続箱５０１にあっては、電気接続箱５０１が組立てられる過程において、例えば下カバー５０３に、バスバー配線板５０５と、電線配線板５０４とが組付けられて移送される場合、絶縁基板部５０６から突出された各端子５０８などが保護されるために、下カバー５０３などに取付けられる仮カバー（図示せず）が必要とされていた。
【０００７】
そのような仮カバー（図示せず）は、電気接続箱５０１の組立工程において必要なものとされているが、製品とされる電気接続箱５０１にとっては不必要なものとされ、電気接続箱５０１の製造過程において、そのような不図示の仮カバーは削減化されることが望まれていた。
【０００８】
また、下カバー５０３などに不図示の仮カバーが取付けられた際に、下カバー５０３などに対して、不図示の仮カバーが例えばガタついた状態で取付けられていると、下カバー５０３などに対して、不用意に不図示の仮カバーが取外されるということや落下されることが発生され、このことから、絶縁基板部５０６から突出された各端子５０８などが保護されないといった不具合の発生が懸念されていた。
【０００９】
本発明は、上記した点に鑑み、仮カバーなどの部品が必要とされることなく、電子ユニットや配線板などの内装品が確実に保護されながら組立てられることのできる電気接続箱およびその製造方法を提供することを目的とする。
【００１０】
【課題を解決するための手段】
上記目的を達成するために、本発明の請求項１に係る電気接続箱は、各内装品が収容される接続箱本体と、該接続箱本体に装着されて各内装品を保護するカバーとを備え、該接続箱本体に対し、該カバーは、正規の位置で本固定が可能とされると共に、該正規の位置と異なる他の位置で仮固定が可能とされたことを特徴とする。
上記構成により、内装品を保護するための仮カバーが予め準備され、内装品が接続箱本体に収容されて電気接続箱が組み上げられるまでの間、仮カバーが接続箱本体に装着されて接続箱本体に収容された内装品が保護されるといったことは必要とされなくなる。内装品が接続箱本体に収容されて電気接続箱が組み上げられるまでの間は、カバーが接続箱本体に仮固定されることで、カバーにより接続箱本体に収容された内装品が保護されることとなる。また、カバーが接続箱本体に本固定されることで、電気接続箱が組み上げられる。従って、電気接続箱が組立てられる過程において、仮カバーは不必要なものとされることとなり、これにより、部品点数が増加されることなく、内装品はカバーにより確実に保護されることとなる。
【００１１】
請求項２に係る電気接続箱は、請求項１に係る電気接続箱において、前記接続箱本体に前記カバーが仮固定される際の該カバーの取付方向は、該接続箱本体に該カバーが本固定される際の該カバーの取付方向に対し、反対の方向とされたことを特徴とする。
上記構成により、接続箱本体に各内装品が収容された状態のものとされているのか、又は、接続箱本体に一部の内装品だけが収容された状態のものとされているのかといったことが判別され易くなる。
【００１２】
請求項３に係る電気接続箱は、請求項１又は２に係る電気接続箱において、前記接続箱本体の仮係止部に、前記カバーの仮係合部が係り合わされることで、該接続箱本体に該カバーが仮固定されることを特徴とする。
上記構成により、例えば組立途中の電気接続箱が移送される際に、接続箱本体に対しカバーは外れ難いものとなる。また、一部の内装品が収容された接続箱本体に他の内装品が組付けられる際に、接続箱本体に仮固定されたカバーは、多大な労力が必要とされることなく、接続箱本体から容易に取外されることとなる。
【００１３】
請求項４に係る電気接続箱は、請求項１〜３の何れか１項に係る電気接続箱において、前記接続箱本体の本係合部に、前記カバーの本係止部が係り合わされることで、該接続箱本体に該カバーが本固定されることを特徴とする。
上記構成により、組立てられた電気接続箱の接続箱本体に対し、カバーが簡単に取外されるということはない。組立てられた電気接続箱において、接続箱本体からカバーが取外されるということは少ないため、接続箱本体にカバーが本固定されることで、接続箱本体に対し、カバーは確実に取付けられた状態に維持されることとなる。
【００１４】
請求項５に係る電気接続箱は、請求項１〜４の何れか１項に係る電気接続箱において、前記カバーにガイド部が設けられ、該ガイド部に対応して前記接続箱本体にガイド受け部が設けられ、該接続箱本体に該カバーが仮固定される際に、該ガイド部と、該ガイド受け部とが合わせられ、且つ、該接続箱本体に該カバーが本固定される際に、該ガイド部と、該ガイド受け部とが合わせられることを特徴とする。
上記構成により、接続箱本体に対し、カバーが仮固定または本固定される際に、カバーは、位置ずれされることなく容易に位置決めされて接続箱本体に取付けられることとなる。
【００１５】
請求項６に係る電気接続箱は、請求項１〜５の何れか１項に係る電気接続箱において、前記カバーに他のガイド部が設けられ、該他のガイド部に対応して前記接続箱本体に他のガイド受け部が設けられ、該接続箱本体に該カバーが仮固定される際に、該他のガイド部と、該他のガイド受け部とは不一致の状態とされ、該接続箱本体に該カバーが本固定される際に、該他のガイド部と、該他のガイド受け部とが合わせられることを特徴とする。
上記構成により、接続箱本体に対し、カバーが仮固定または本固定される際に、カバーに設けられた他のガイド部が確認されつつ、接続箱本体にカバーが取付けられることとなる。従って、接続箱本体に対するカバーの誤組付けが防止されることとなる。
【００１６】
請求項７に係る電気接続箱は、請求項６に係る電気接続箱において、前記他のガイド部に請求項３記載の仮係合部が設けられ、前記接続箱本体を形成する側壁に請求項３記載の仮係止部が設けられたことを特徴とする。
上記構成により、接続箱本体を形成する側壁の仮係止部に、カバーに設けられた他のガイド部の仮係合部が係り合わされることで、カバーは、接続箱本体に容易で確実に仮固定されることとなる。
【００１７】
請求項８に係る電気接続箱は、請求項１〜７の何れか１項に係る電気接続箱において、前記カバーを形成する側壁に本係止部が設けられ、該本係止部に対応して前記接続箱本体を形成する側壁に本係合部が設けられたことを特徴とする。
上記構成により、接続箱本体を形成する側壁の本係合部に、カバーを形成する側壁の本係止部が係り合わされることで、カバーは、接続箱本体に容易で確実に本固定されることとなる。
【００１８】
請求項９に係る電気接続箱は、請求項１〜８の何れか１項に係る電気接続箱において、前記各内装品として、端子が立設された配線板と、該端子に対応した相手側端子を備えるコネクタ付の電子ユニットとが用いられ、該配線板の上層部に該電子ユニットが搭載されることで、該端子と、該相手側端子とが通電可能に接続されることを特徴とする。
上記構成により、配線板と、電子ユニットとは、容易で確実に通電可能に接続されることとなる。また、電気接続箱の組立工程の途中段階において、配線板に立設された端子は、カバーが接続箱本体に仮固定されることにより、確実に保護されることとなる。
【００１９】
請求項１０に係る電気接続箱は、請求項９に係る電気接続箱において、前記端子は、前記配線板に装着されたバスバーの一方に設けられ、該バスバーの他方と、該配線板に配索された電線とが接続されて、該配線板に電気回路が構成され、前記電子ユニットに装着された前記コネクタは、該コネクタに装備された前記相手側端子の一部が、該電子ユニットを構成する基板の回路導体にはんだ付けされたＰＣＢ用コネクタとして用いられたことを特徴とする。
上記構成により、配線板のバスバーの一方に設けられた端子と、電子ユニットに装着されたＰＣＢ用コネクタとにより、配線板と、電子ユニットとは、確実に通電可能に接続されて電気回路が機能されることとなる。
【００２０】
請求項１１記載の電気接続箱の製造方法は、接続箱本体に内装品を収容し、該接続箱本体にカバーを仮固定させて該内装品を保護し、該接続箱本体から該カバーを取外し、該内装品に他の内装品を装着させた後に、該接続箱本体に該カバーを本固定させることを特徴とする。
上記構成により、内装品を保護するための仮カバーを予め準備し、内装品を接続箱本体に収容させて電気接続箱を組み上げるまでの間、仮カバーを接続箱本体に装着させて接続箱本体に収容された内装品を保護するといったことは必要とされなくなる。内装品を接続箱本体に収容させて電気接続箱を組み上げるまでの間は、接続箱本体にカバーを仮固定させて、接続箱本体に収容された内装品をカバーにより保護させる。また、電気接続箱を組み上げる際には、カバーを接続箱本体に本固定させる。これにより、電気接続箱を組立てる工程において、仮カバーは不必要なものとされ、電気接続箱を製造する際に部品点数が増加するということもなく、カバーにより内装品を確実に保護させることが可能となる。
【００２１】
【発明の実施の形態】
以下に本発明に係る電気接続箱およびその製造方法の実施形態を図面に基づいて詳細に説明する。
図１〜図５は、本発明に係る電気接続箱およびその製造方法の一実施形態を示すものである。
【００２２】
図１〜図４に基づいて電気接続箱１に関する各方向について説明する。
図１および図２の如く、接続箱本体７０にカバー６０が装着される側を上側とし、接続箱本体７０に合成樹脂製の支持部材１００が装着された側を下側とする。また、接続箱本体７０にヒューズブロック８０（図６，図７）が装着されるために、図１の如く、接続箱本体７０に対して各音叉端子３８が位置する側を前側とし、図２の如く、接続箱本体７０を形成する側壁７２ｂが位置する側、即ち、接続箱本体７０に一対の取付部材１２０が装着された側を後側とする。また、図２および図４の如く、カバー６０に各突出部６２ｔが設けられた側をカバー６０の前側とし、カバー６０に開口部６５が設けられた側をカバー６０の後側とする。また、図１〜図３の如く、接続箱本体７０を形成する一側壁７２ａから他側壁７２ｃに向けた方向、又は、他側壁７２ｃから一側壁７２ａに向けた方向を左右の方向とする。
【００２３】
なお、この明細書における「上下」、「前後」、「左右」の定義は、各部を説明する上で、便宜上、定義されたものであり、必ずしも電気接続箱の実使用時における方向や、電気接続箱の製造方法が行われる際の電気接続箱の方向と一致するものではない。
【００２４】
図１および図２に示される電気接続箱１は、図３に示される合成樹脂製の各配線板１０１　，１０２　、及び、図６に示される電子ユニット５などが収容される合成樹脂製の接続箱本体７０（図３）と、この接続箱本体７０に装着されて、前記各配線板１０１　，１０２　や、前記電子ユニット５（図６）などを保護する合成樹脂製の上側カバー６０（図１，図２，図４，図５）とを備えるものとして構成されている。
【００２５】
図３の如く、接続箱本体７０は、底壁（図示せず）と、不図示の底壁の周囲に設けられた各側壁７２ａ，７２ｂ，７２ｃとによって、収容部７３が設けられた略矩形箱状のものとされている。
【００２６】
図２および図３の如く、接続箱本体７０の後部側壁７２ｂに、スライドガイド状をした一対の装着部７２ｐが設けられている。前記装着部７２ｐに対応して、図１〜図３の如く、一部湾曲状に形成された取付部材１２０に、スライドガイド部１２２が設けられている。接続箱本体７０の装着部７２ｐに、スライドガイド部１２２を備える湾曲状の取付部材１２０が、着脱自在にスライド装着されている。
【００２７】
湾曲状の取付部材１２０が相手側取付体（図示せず）に確実に装着されるために、貫通孔を備える固定部１２５が前記取付部材１２０に設けられている。また、取付部材１２０の湾曲部１２７は、各形状をしたリブ１２８により補強されている。
【００２８】
また、接続箱本体７０の両側壁７２ａ，７２ｃに、複数の枠状取付部７２ｈが設けられている。何れかの枠状取付部７２ｈに、図１〜図３に示される前記取付部材１２０と異なる形状をした他の取付部材（図示せず）が、着脱自在に装着される。
【００２９】
前記接続箱本体７０の上層側に位置する略矩形板状をした配線板１０１　の下側に、略矩形板状をした他の配線板１０２　が位置するものとされている。両配線板１０１　，１０２　は、接続箱本体７０に収容される各内装品１０１　，１０２　とされている。
【００３０】
図３の如く、上側の配線板１０１　は、略平板状をした基板部１１１　を備え、この基板部１１１　に貫通孔形状をした位置決め部１１ｊが設けられている。また、各バスバー３０の端部に設けられた各雄端子部３３，３６が、略平板状をした基板部１１１　の上側に向けて、基板部１１１　から立設されている。また、図１および図３の如く、バスバー３０Ｌは、雄タブ形状をした端子部３３Ｌの根元が折り曲げられ、バスバー本体３１Ｌが延設されると共に折り曲げられて、音叉端子部３８Ｌへと続いている。各バスバー３０，３０Ｌには、錫メッキＰが被覆されている。
【００３１】
また、図６に示される電子ユニット５が、図３に示される配線板１０１　の上側に確実に固定されるために、配線板１０１　を形成する基板部１１１　の上側に、固定孔１５Ｌ　を備える複数の円筒状固定部１５が設けられている。上側の配線板１０１　は、図６に示される電子ユニット５が取付けられる搭載部として用いられる。
【００３２】
図６に示される電子ユニット５が、図３に示される配線板１０１　の上側に取付けられる際に、配線板１０１　の基板部１１１　に設けられた複数の固定部１５の固定孔１５Ｌ　と、電子ユニット５の基板部５Ａに設けられた複数の固定部５Ｖの固定孔５ＶＬ　とが合わせられ、ねじ等の止具（図示せず）が、前記各固定部５Ｖ，１５の各固定孔５ＶＬ　，１５Ｌ　に挿通保持されることで、図６に示される電子ユニット５は、図３に示される配線板１０１　の上側に確実に固定される。
【００３３】
図６の如く、他の内装品５とされる電子ユニット５は、回路導体５Ｂが印刷された合成樹脂製の絶縁基板部５Ａすなわちプリント基板部５Ａに、ＩＣパッケージ５Ｈ、コンデンサ５Ｊ、リレーすなわち継電器（図示せず）が組付けられるリレー接続台５Ｋ、一コネクタ５Ｌ、他のコネクタ５Ｐなどの電気・電子関連部品が取付けられ、これらのものが銅箔の各回路導体により通電可能に接続されて電子制御装置が構成されている。
【００３４】
「ＩＣ」とは、集積回路を意味し「ｉｎｔｅｇｒａｔｅｄ　ｃｉｒｃｕｉｔ」の略称とされている。「ＩＣ」は、電子回路の一種とされ、トランジスタ、ダイオード、抵抗、コンデンサなどの多くの回路素子が、一つの基板部上または基板部中に結合され、これらの間が配線で接続された高密度構造の電子回路とされている。
【００３５】
電子制御装置（ｅｌｅｃｔｒｏｎｉｃ　ｃｏｎｔｒｏｌ　ｕｎｉｔ）　は、「ＥＣＵ」と略称して呼ばれることが多い。電子制御装置は、コンピュータによって制御される制御手段や、判定手段などを備えるものとされている。また、合成樹脂製の絶縁基板部５Ａに印刷された各回路導体５Ｂは、透明もしくは半透明をした絶縁被膜５Ｃによって保護されている。
【００３６】
合成樹脂製のコネクタハウジング５Ｍ内に、金属製の端子（図示せず）が挿着されて、一コネクタ５Ｌが構成されている。また、一コネクタ５Ｌに対応して、一コネクタ５Ｌの下部に略矩形状の開口部５Ｄが基板部５Ａに設けられたものとされている。これにより、一コネクタ５Ｌの下側から、バスバー３０の端子部３６が接続可能なものとされている。
【００３７】
一コネクタ５Ｌに備えられた各端子の取付部（図示せず）が、絶縁基板部５Ａに印刷された各回路導体５Ｂに「はんだ付け」されて、各端子と各回路導体５Ｂとが通電可能に接続されている。このように、図６に示される一コネクタ５Ｌは、垂直取付形のＰＣＢ用コネクタ５Ｌとして用いられる。ＰＣＢとは「Ｐｒｉｎｔｅｄ　Ｃｉｒｃｕｉｔ　Ｂｏａｒｄ　」を意味する。
【００３８】
また、他のコネクタ５Ｐは、金属製の各雄型の端子５Ｔと、合成樹脂製のコネクタハウジング５Ｑとを備えるものとして構成され、各雄型の端子５Ｔは、絶縁基板部５Ａに印刷された各回路導体５Ｂと通電可能に接続されている。
【００３９】
図４および図５の如く、上側カバー６０の周壁６２に複数のガイド部６７，６７Ｔ，６７Ｕ（図５）が設けられ、これらのガイド部６７，６７Ｔ，６７Ｕに対応して、図３に示される如く、接続箱本体７０の周壁７２に複数のガイド受け部７７，７７Ｔ，７７Ｕが設けられている。
【００４０】
図３の如く、接続箱本体７０のガイド受け部７７，７７Ｔ，７７Ｕは、略Ｔ溝状をしたガイド溝７７，７７Ｔ，７７Ｕを備えるものとして形成され、このようなガイド溝７７，７７Ｔ，７７Ｕに対応して、図４および図５の如く、上側カバー６０のガイド部６７，６７Ｔ，６７Ｕ（図５）は、略板状に形成されたガイド片６７，６７Ｔ，６７Ｕを備えるものとして形成されている。
【００４１】
上側カバー６０の各ガイド片６７，６７Ｔ，６７Ｕは、上側カバー６０の周壁６２から上側カバー６０の外側に向けて突出された支持部６７ａの先に設けられている。また、図３の如く、接続箱本体７０の各ガイド受け部７７，７７Ｔ，７７Ｕは、接続箱本体７０の周壁７２よりも外側に突出された枠部７７ｂと、図４および図５に示される前記上側カバー６０の前記支持部６７ａに対応した細長い溝７７ａ（図３）とを備えるものとして形成されている。
【００４２】
また、図４および図５の如く、上側カバー６０の側壁６２ａ，６２ｂ，６２ｃに、本係止突起６９ａを備える本係止部６９が設けられている。このような本係止部６９に対応して、図３に示される接続箱本体７０の側壁７２ａ，７２ｂ，７２ｃに、本係合突出部７９ａを備える本係合部７９が設けられている。
【００４３】
図４および図５の如く、上側カバー６０は、略矩形状の天壁６１と、この天壁６１の周囲に設けられた各側壁６２ａ，６２ｂ，６２ｃ，６２ｄとを備え、図５の如く、内側に収容部６３が設けられている。図６に示される電子ユニット５の他のコネクタ５Ｐに対応して、図４および図５の如く、上側カバー６０の天壁６１に、略矩形状をした開口部６５が設けられている。
【００４４】
図４および図５の如く、上側カバー６０の開口部６５周縁にリブ６５ａが設けられている。また、上側カバー６０の開口部６５周縁に設けられた前記リブ６５ａに続き、上側カバー６０の内側に向けてガイドリブ６５ｂが延設されている。前記リブ６５ａは、図６に示される他のコネクタ５Ｐを構成するコネクタハウジング５Ｑの上端部５Ｒに対応して形成され、図４および図５に示される前記ガイドリブ６５ｂは、図６に示される他のコネクタ５Ｐを構成するコネクタハウジング５Ｑの側壁部５Ｓに対応して形成されている。
【００４５】
図４の如く、上側カバー６０の側壁６２ｄに、複数の略Ｔ字状突出部６２ｔと、一対の窓６２ｗとが設けられている。また、上側カバー６０の強度を向上させるために、図５の如く、縦横に交差するその他の各リブ６１ａ，６１ｂが、上側カバー６０を形成する天壁６１の内側に設けられている。
【００４６】
図２の如く、この電気接続箱１は、接続箱本体７０に対し、カバー６０が正規の位置で本固定が可能とされるものである。また、図１の如く、この電気接続箱１は、接続箱本体７０に対し、カバー６０が正規の位置と異なる他の位置で仮固定が可能とされるものでもある。
【００４７】
このような構造をした電気接続箱１とされていれば、電気接続箱１の組立工程において、配線板１０１　（図３）に備えられた各端子３６群などを保護するための仮カバー（図示せず）が予め準備され、各配線板１０１　，１０２　や、図６に示される電子ユニット５などが、図３に示される接続箱本体７０に収容されて、電気接続箱１が組み上げられるまでの間、不図示の仮カバーが接続箱本体７０に装着されることで、接続箱本体７０に収容された配線板１０１　の各端子３６群などが保護されるといったことは必要とされなくなる。
【００４８】
各配線板１０１　，１０２　や、図６に示される電子ユニット５などが、図３に示される接続箱本体７０に収容されて電気接続箱１が組み上げられるまでの間は、図１に例示される如く、カバー６０が接続箱本体７０に仮固定されることで、カバー６０により接続箱本体７０に収容された配線板１０１　の各端子３６群などが保護されることとなる。
【００４９】
また、図２に例示される如く、カバー６０が接続箱本体７０に本固定されることで、電気接続箱１が組立てられる。従って、電気接続箱１が組立てられる過程において、上記仮カバー（図示せず）は不必要なものとされることとなる。このようにすることで、電気接続箱１の組立工程において部品点数が増加されることなく、図１〜図３に示される配線板１０１　の各端子３６群などは、カバー６０により確実に保護されることとなる。
【００５０】
図２に例示される電気接続箱１は、カバー６０が接続箱本体７０に本固定される直前の状態のものとされている。また、実際に電気接続箱１が組み上げられる際には、図６および図８に例示されるハウジング部材５０と、図６に例示される電子ユニット５と、図６および図７に例示されるヒューズブロック８０とが、図２に例示される接続箱本体７０に装着される。
【００５１】
図４および図５に例示されるカバー６０と、図６に例示される電子ユニット５と、図８に例示されるハウジング部材５０と、図６および図７に例示されるヒューズブロック８０とは、図１〜図３に示される電気接続箱およびその製造方法の一実施形態と、図６〜図９に示される電気接続箱およびその製造方法の他の実施形態とに共用可能なものとされる。
【００５２】
図８の如く、ハウジング部材５０の両側にガイド部５２ｈが設けられ、このガイド部５２ｈに対応して、図３の如く、接続箱本体７０の両側壁７２ａ，７２ｃの前端部近傍にガイド受け部７６が設けられている。接続箱本体７０のガイド受け部７６は、略Ｔ溝状をしたガイド溝７６を備えるものとして形成され、ガイド溝７６に対応して、図８の如く、ハウジング部材５０のガイド部５２ｈは、略板状に形成されたガイド片５２ｈを備えるものとして形成されている。ハウジング部材５０のガイド片５２ｈは、ハウジング部材５０の周壁５２の外側に突出された支持部５２ｊの先に設けられている。
【００５３】
また、図３の如く、接続箱本体７０のガイド受け部７６は、接続箱本体７０の側壁７２ａ，７２ｃよりも外側に突出された枠部７６ｂと、前記ハウジング部材５０の前記支持部５２ｊ（図８）に対応した細長い溝７６ａ（図３）とを備えるものとして形成されている。
【００５４】
図１の如く、接続箱本体７０にカバー６０が仮固定される際のカバー６０の取付方向は、図２の如く、接続箱本体７０にカバー６０が本固定される際のカバー６０の取付方向に対し、角度にして１８０°すなわち前後反対の方向とされている。
【００５５】
このような構造をした電気接続箱１とされていれば、図１の如く、接続箱本体７０に各配線板１０１　，１０２　などは収容されているが、図６に示される電子ユニット５は、配線板１０１　に未装着の状態とされているといったことや、図３に示される配線板１０１　に、図６に示される電子ユニット５が装着されて、図２に示される接続箱本体７０に、必要とされる内装品が全て収容された状態のものとされているといったことは、判別され易くなる。
【００５６】
図３に示される接続箱本体７０の一対の仮係止部７４に、図４および図５に示されるカバー６０の一対の仮係合部６４が係り合わされることで、図１の如く、接続箱本体７０にカバー６０が仮固定される。具体的に説明すると、接続箱本体７０にカバー６０が仮固定される際に、図４および図５に示されるカバー６０の一対の他のガイド片６７Ｔが、図３に示される接続箱本体７０の一対の仮係止突起７４を乗り越え、接続箱本体７０の一対の仮係止突起７４に、図４および図５に示されるカバー６０の一対の仮係合孔６４が係り合わされることで、図１に示されるカバー６０は、同じく図１に示される接続箱本体７０に仮固定される。
【００５７】
図２および図３の如く、接続箱本体７０の仮係止突起７４に傾斜摺接面７４ａが設けられている。この傾斜摺接面７４ａは、接続箱本体７０からカバー６０が容易に取外されることができるようにするために、仮係止突起７４に設けられたものとされている。前記仮係止部７４および前記仮係合部６４は、容易に着脱自在とされるセミロック手段とされる。
【００５８】
このようにして、接続箱本体７０にカバー６０が仮固定されていれば、例えば組立途中の電気接続箱１（図１）が移送される際に、接続箱本体７０に対しカバー６０は外れ難いものとなる。また、予め接続箱本体７０に収容された配線板１０１　に、次の組立工程で電子ユニット５（図６）が組付けられる際に、接続箱本体７０に仮固定されたカバー６０（図１）は、多大な労力が必要とされることなく、接続箱本体７０から容易に取外されることとなる（図３）。
【００５９】
また、図１に示される如く、接続箱本体７０にカバー６０が仮固定される際に、接続箱本体７０の各本係合部７９に、カバー６０の各本係止部６９が係り合わされるといった不具合は発生されない。接続箱本体７０にカバー６０が仮固定される場合、接続箱本体７０の各本係合部７９と、カバー６０の各本係止部６９とは不一致の状態とされ、接続箱本体７０と、カバー６０とが本固定されるということは発生されない。
【００６０】
電気接続箱の仕様などにより、電気接続箱に、前記セミロック手段が設けられることなく省略されたものも使用可能とされる。電気接続箱の仕様や、電気接続箱が組立てられる製造ラインなどにより、接続箱本体７０にカバー６０が仮固定されることなく電気接続箱が組立てられてもよいが、そのような状態で電気接続箱が移送された場合、例えば振動などにより、接続箱本体７０からカバー６０が外されてしまうといった不具合の発生が懸念される。そのような不具合の発生を回避させるために、例えば輪ゴムなどの仮止め手段（図示せず）が用いられて、カバーと、接続箱本体とを仮固定させてもよい。
【００６１】
図３に示される接続箱本体７０の各本係合部７９に、図４および図５に示されるカバー６０の各本係止部６９が係り合わされることで、図２に例示される如く、接続箱本体７０にカバー６０が本固定される。具体的に説明すると、図３に示される接続箱本体７０の各本係合突出部７９ａの係合面７９ｂに、図４および図５に示されるカバー６０の各本係止突起６９ａの係止面６９ｂ（図４）が係り合わされることで、図２に示されるカバー６０は、同じく図２に示される接続箱本体７０に本固定される。
【００６２】
また、図５の如く、カバー６０の各本係止突起６９ａに傾斜摺接面６９ｃが設けられているから、図２の如く、接続箱本体７０にカバー６０が本固定される際に、図５に示されるカバー６０の各本係止突起６９ａは、図３に示される接続箱本体７０の各本係合突出部７９ａを容易に乗り越えることができることとなる。前記本係止部６９および前記本係合部７９は、一度、係り合わされると容易に分離され難い本ロック手段とされる。
【００６３】
このようにして、接続箱本体７０にカバー６０が本固定されていれば、組立てられた電気接続箱１の接続箱本体７０に対し、カバー６０が簡単に取外されるということはない。組立てられた電気接続箱１において、接続箱本体７０からカバー６０が取外されるということは少ないため、接続箱本体７０にカバー６０が本固定されることで、接続箱本体７０に対し、カバー６０は確実に取付けられた状態に維持されることとなる。
【００６４】
図４および図５の如く、カバー６０を形成する周壁６２の四隅近傍に、各ガイド部６７が設けられている。また、前記各ガイド部６７に対応して、図３の如く、接続箱本体７０を形成する周壁７２の四隅近傍に、各ガイド受け部７７が設けられている。
【００６５】
図１の如く、接続箱本体７０にカバー６０が仮固定される際に、カバー６０に設けられた四箇所の前記ガイド部６７と、接続箱本体７０に設けられた四箇所の前記ガイド受け部７７とが合わせられる。また、図１に示されるカバー６０が前後方向において１８０°回動されて、図２の如く、接続箱本体７０にカバー６０が本固定される際に、カバー６０に設けられた四箇所の前記ガイド部６７と、接続箱本体７０に設けられた四箇所の前記ガイド受け部７７とが合わせられる。
【００６６】
このような構造をした電気接続箱１とされていれば、図１の如く、接続箱本体７０にカバー６０が仮固定される場合や、図２の如く、接続箱本体７０にカバー６０が本固定される場合の何れの場合においても、カバー６０は位置ずれされることなく容易に位置決めされて、接続箱本体７０に取付けられることとなる。
【００６７】
図４および図５の如く、カバー６０に一対の他のガイド部６７Ｔが設けられている。カバー６０の他のガイド部６７Ｔは、カバー６０の両側壁６２ａ，６２ｃの前後方向略中央部に立設されている。また、前記一対の他のガイド部６７Ｔに対応して、図３の如く、接続箱本体７０に一対の他のガイド受け部７７Ｔが設けられている。接続箱本体７０の他のガイド受け部７７Ｔは、接続箱本体７０の両側壁７２ａ，７２ｃの前後方向略中央部に凸設されている。
【００６８】
図１の如く、接続箱本体７０にカバー６０が仮固定される際に、カバー６０に設けられた一対の他のガイド部６７Ｔと、接続箱本体７０に設けられた一対の他のガイド受け部７７Ｔとは、不一致の状態とされる。また、図１に示されるカバー６０が前後方向において１８０°回転されて、図２の如く、接続箱本体７０にカバー６０が本固定される際に、カバー６０に設けられた一対の他のガイド部６７Ｔと、接続箱本体７０に設けられた一対の他のガイド受け部７７Ｔとが合わせられる。
【００６９】
図２および図５の如く、カバー６０に一対の別のガイド部６７Ｕが設けられている。前記一対の別のガイド部６７Ｕは、カバー６０の後部側壁６２ｂに立設されている。また、前記一対の別のガイド部６７Ｕに対応して、図２および図３の如く、接続箱本体７０に一対の別のガイド受け部７７Ｕが設けられている。前記一対の別のガイド受け部７７Ｕは、接続箱本体７０の後部側壁７２ｂに凸設されている。
【００７０】
図１の如く、接続箱本体７０にカバー６０が仮固定される際に、カバー６０に設けられた一対の別のガイド部６７Ｕ（図５）と、接続箱本体７０に設けられた一対の別のガイド受け部７７Ｕ（図３）とは、不一致の状態とされる。また、図１に示されるカバー６０が前後方向において１８０°反転されて、図２の如く、接続箱本体７０にカバー６０が本固定される際に、カバー６０に設けられた一対の別のガイド部６７Ｕと、接続箱本体７０に設けられた一対の別のガイド受け部７７Ｕとが合わせられる。
【００７１】
このような構造をした電気接続箱１とされていれば、図１の如く、接続箱本体７０にカバー６０が仮固定される場合や、図２の如く、接続箱本体７０にカバー６０が本固定される場合の何れの場合においても、接続箱本体７０に対し、カバー６０に設けられた一対の他のガイド部６７Ｔや、カバー６０に設けられた一対の別のガイド部６７Ｕの装着状態が確認されつつ、接続箱本体７０にカバー６０が取付けられることとなる。従って、接続箱本体７０に対するカバー６０の前後方向の誤組付けが防止され易くなる。
【００７２】
図４および図５の如く、カバー６０の側壁６２ａ，６２ｃに突設された一対の他のガイド部６７Ｔに、略矩形貫通孔形状をした仮係合孔６４が設けられている。また、前記仮係合孔６４に対応して、図３の如く、接続箱本体７０を形成する一対の側壁７２ａ，７２ｃの上部外側に、仮係止突起７４が設けられている。
【００７３】
前記仮係合孔６４が設けられたカバー６０と、前記仮係止突起７４が設けられた接続箱本体７０とを備える電気接続箱１とされていれば、図１の如く、接続箱本体７０を形成する各側壁７２ａ，７２ｃの仮係止突起７４に、カバー６０に突設された各他のガイド部６７Ｔの仮係合孔６４が係り合わされることで、カバー６０は、接続箱本体７０に容易で確実に仮固定されることとなる。
【００７４】
図４および図５の如く、カバー６０を形成する各側壁６２ａ〜６２ｃに各本係止部６９が設けられ、各本係止部６９に本係止突起６９ａが設けられている。前記各本係止部６９に設けられた本係止突起６９ａに対応して、図３の如く、接続箱本体７０を形成する各側壁７２ａ〜７２ｃの各本係合溝部７９内に、本係合突出部７９ａが設けられている。
【００７５】
前記本係止突起６９ａが設けられたカバー６０と、前記本係合突出部７９ａが設けられた接続箱本体７０とを備える電気接続箱１とされていれば、図２の如く、接続箱本体７０を形成する各側壁７２ａ〜７２ｃの各本係合溝部７９内の本係合突出部に、カバー６０を形成する各側壁６２ａ〜６２ｃの各本係止突起６９ａが係り合わされることで、カバー６０は、接続箱本体７０に容易で確実に本固定されることとなる。
【００７６】
接続箱本体７０にカバー６０が本固定すなわち本ロックされる場合、図２の如く、接続箱本体７０の側壁７２ａに設けられた三箇所のガイド溝７７，７７Ｔ，７７と、カバー６０の側壁６２ａに設けられた三箇所のガイド片６７，６７Ｔ，６７とが合わせられると共に、図３〜図５の如く、接続箱本体７０の側壁７２ｃに設けられた三箇所のガイド溝７７，７７Ｔ，７７と、カバー６０の側壁６２ｃに設けられた三箇所のガイド片６７，６７Ｔ，６７とが合わせられ、これと共に、図２の如く、接続箱本体７０の後部側壁７２ｂに設けられた二箇所のガイド溝７７Ｕ，７７Ｕと、カバー６０の後部側壁６２ｂに設けられた二箇所のガイド片６７Ｕ，６７Ｕとが合わせられる。
【００７７】
そのような状態で、接続箱本体７０に対しカバー６０が下向きに押圧されると、接続箱本体７０の各本係合溝部７９内の本係合突出部７９ａ（図３）に、カバー６０の各本係止突起６９ａ（図２）が係り合わされることとなる。これにより、接続箱本体７０に対して、カバー６０は、容易に外されることなく確実に本ロックされることとなる。
【００７８】
図１，図２，図６，図７に示される電気接続箱１，１Ｔ　の組立手順について説明する。先ず、図３の如く、接続箱本体７０に各配線板１０１　，１０２　を収容する。次に、図１の如く、接続箱本体７０にカバー６０を仮固定させて、配線板１０１　，１０２　に備えられた各端子３６群を保護する。図１に示される電気接続箱１が次の組立工程の現場に移送された後に、接続箱本体７０からカバー６０を取外す。
【００７９】
以下に、図４〜図９を用いて、次の組立現場に移送された電気接続箱１Ｔ　の組立手順について続けて説明する。
図４〜図９は、本発明に係る電気接続箱およびその製造方法の他の実施形態を示すものである。
【００８０】
図３に示される接続箱本体７０と、図６に示される接続箱本体７０Ｔ　とを比較すると、図３の如く、接続箱本体７０の周壁７２を形成する各側壁７２ａ，７２ｂ，７２ｃの形状と、図６の如く、接続箱本体７０Ｔ　の周壁７２Ｔ　を形成する各側壁７２ａＴ　，７２ｂＴ　，７２ｃＴ　の形状とは、一部異なるものとされている。
【００８１】
図３に示される接続箱本体７０の各側壁７２ａ〜７２ｃは、全て高さが揃えられたものとされているが、図６に示される接続箱本体７０Ｔ　の各側壁７２ａＴ　〜７２ｃＴ　においては、高さが揃えられておらず、左右両側壁７２ａＴ　，７２ｃＴ　の後半部がやや高く形成されている。また、接続箱本体７０Ｔ　により複数の端子部３６が確実に保護されるために、複数の端子部３６が並設された部分に対応して、側壁７２ｃＴ　の上端部が高くされ、接続箱本体７０の一側壁７２ａＴ　と、他側壁７２ｃＴ　とは、左右非対称なものとされている。
【００８２】
このようなことから、図６に示される枠部７７ｂＩ　が備えられたガイド受け部７７Ｉ　の高さと、他のガイド受け部７７ＴＩ　の高さと、本係合部７９Ｉ　の高さとは、図３に示される枠部７７ｂが備えられたガイド受け部７７の高さと、他のガイド受け部７７Ｔの高さと、本係合部７９の高さと比較して、長いものとされている。
【００８３】
図３に示される接続箱本体７０と、図６に示される接続箱本体７０Ｔ　とを比較し、各相違点について説明したが、その他の部分については、図３に示される接続箱本体７０と、図６に示される接続箱本体７０Ｔ　とは、略同じ構成のものとされている。
【００８４】
また、図３に示される配線板１０１　と、図８に示される配線板１０とを比較すると、図３の如く、配線板１０１　を形成する基板部１１１　の形状と、図８の如く、配線板１０を形成する基板部１１および他の基板部１１Ａの形状とが、異なるものとされると共に、電源モジュール６の装着位置が異なるものとされているが、その他の部分については、図３に示される配線板１０１　と、図８に示される配線板１０とは、略同じ構造のものとされている。
【００８５】
このように、図１および図２に示される電気接続箱１と、図６および図７に示される電気接続箱１Ｔ　とを比較すると、接続箱本体７０，７０Ｔ　と、配線板１０，１０１　とに一部異なる部分が見られるが、図１および図２に示される電気接続箱１と、図６および図７に示される電気接続箱１Ｔ　とは、略同じ形態のものとされている。図６〜図９に示されるものにおいて、図１〜図３に示されるものと共通なものとされる部分については、同一の符号が付され、その詳細な説明は省略されている。
【００８６】
次の組立現場に移送された電気接続箱１Ｔ　の組立手順について説明すると、図６の如く、カバー６０が取外された接続箱本体７０Ｔ　に、ヒューズブロック８０を装着させる。また、カバー６０が取外された接続箱本体７０Ｔ　内の配線板１０に、図８に示されるハウジング部材５０を装着させる。その後、図６の如く、配線板１０に電子ユニット５を装着させて、配線板１０と、電子ユニット５とを通電可能に接続させる。接続箱本体７０Ｔ　に対し、各内装品の装着作業を全て終了させた後に、図７の如く、接続箱本体７０Ｔ　にカバー６０を本固定させて、電気接続箱１Ｔ　を組み上げる。
【００８７】
このような手順によって、電気接続箱１Ｔ　が組立てられることにより、配線板１０（図６）に備えられた各端子３６群などを保護するための仮カバー（図示せず）を予め準備し、図８および図９に示される各配線板１０，２０や、図８に示されるハウジング部材５０や、図６に示される電子ユニット５などを接続箱本体７０Ｔ　に収容させて電気接続箱１Ｔ　を組み上げるまでの間、不図示の仮カバーを接続箱本体７０Ｔ　に装着させて、接続箱本体７０Ｔ　に収容させた配線板１０の各端子３６群などを保護するといったことは必要とされなくなる。
【００８８】
図８および図９に示される各配線板１０，２０や、図６に示される電子ユニット５などを接続箱本体７０Ｔ　に収容させて、電気接続箱１Ｔ　を組み上げるまでの間は、図６に示される接続箱本体７０Ｔ　に、図４および図５に示されるカバー６０を仮固定させ、前記カバー６０により、接続箱本体７０Ｔ　（図６）に収容された配線板１０の各端子３６群などを保護させる。
【００８９】
また、電気接続箱１Ｔ　を組み上げる際には、図７の如く、カバー６０を接続箱本体７０Ｔ　に本固定させる。これにより、電気接続箱１Ｔ　を組立てる工程において、上記仮カバー（図示せず）は不必要なものとされ、電気接続箱１Ｔ　を製造する際に部品点数が増加するということもなく、配線板１０の各端子３６群などを確実に保護させることが可能となる。電気接続箱の組立手順について、電気接続箱の製造方法の一例を示したが、電気接続箱の他の組立手順に関する製造方法も有効とされる。
【００９０】
図６の如く、この電気接続箱１Ｔ　は、接続箱本体７０Ｔ　の上方側の外部に装備される外部ワイヤハーネス（図示せず）から、コネクタ部３を経て、接続箱本体７０Ｔ　の内部の上方側に装備される電子ユニット５まで、複数のバスバー３０を介して通電可能に接続される構造のものとされている。
【００９１】
図８および図９の如く、各雄端子３６は、配線板１０に装着された各バスバー３０の一方に設けられたものとされている。また、各バスバー３０の他方と、各配線板１０，２０（図９）に配索された各電線９とが通電可能に接続されて、各配線板１０，２０に電気回路が構成される。
【００９２】
また、図６の如く、電子ユニット５に装着されたコネクタ５Ｌは、コネクタ５Ｌに装備された不図示の相手側端子の一部が、電子ユニット５を構成する基板５Ａの回路導体５Ｂにはんだ付けされて通電可能に接続されたＰＣＢ用コネクタ５Ｌとして用いられている。
【００９３】
配線板１０の各バスバー３０の一方に設けられた各雄端子３６と、電子ユニット５に装着されたＰＣＢ用コネクタ５Ｌに備えられる不図示の相手側端子とにより、配線板１０と、電子ユニット５とは、確実に通電可能に接続されて、電気接続箱１Ｔ　に構成された電気回路は、確実に機能されることとなる。
【００９４】
図６に示される接続箱本体７０Ｔ　に収容される各内装品として、図８の如く、上側に向けて複数の雄端子３６が立設された配線板１０と、この配線板１０に備えられるハウジング部材５０と、図９の如く、前記配線板１０に組付けられる他の配線板２０と、図６の如く、上側に向けて立設された複数の雄端子３６に対応の相手側端子（図示せず）を備えるコネクタ５Ｌ付の電子ユニット５とが用いられた。
【００９５】
図８および図９の如く、各内装品１０，２０とされる二つの配線板１０，２０は、互いに組付けられた状態で、図６に示される接続箱本体７０の収容部７３内に備えられる。図８の如く、ハウジング部材５０と、電子ユニット５（図６）とが組付けられる上層の配線板１０に、各バスバー３０が装着されている。また、図９の如く、前記上層の配線板１０に組付けられる下層の配線板２０に、各バスバー３０が装着されている。また、図８に示される他の電子ユニット４が、図９に示される配線板２０の収容部２０Ｐに装着される。
【００９６】
図９の如く、各種形状をした電気接触部３７Ｅ，３７Ｆ，３７Ｇ，３７Ｈを備える金属製のバスバー３０Ｅ，３０Ｆ，３０Ｇ，３０Ｈが、合成樹脂製の配線板２０に装着されている。バスバー３０Ｆ，３０Ｈの一部が略クランク形状に折り曲げられて、バスバー３０Ｆ，３０Ｈに電気接触部３７Ｆ，３７Ｈが形成されている。また、バスバー３０Ｇ，３０Ｈの電気接触部３７Ｇ，３７Ｈは、バスバー３０Ｅ，３０Ｆの電気接触部３７Ｅ，３７Ｆよりも細い形状をした電気接触部として形成されている。
【００９７】
また、図８および図９の如く、各種端子部３６Ａ，３６Ｂ，３６Ｃ，３６Ｄを備える金属製のバスバー３０Ａ，３０Ｂ，３０Ｃ，３０Ｄが、合成樹脂製の配線板１０に装着されている。バスバー３０Ｃ，３０Ｄの端子部３６Ｃ，３６Ｄは、バスバー３０Ａ，３０Ｂの端子部３６Ａ，３６Ｂよりも細い形状をした電気接触部として形成されている。
【００９８】
各種バスバーは、プレス成型機などが用いられて金属製平板に打抜き加工が行われて、例えば長尺状などの各種形状をした端子金具素材が形成され、その後、端子金具素材に曲げ加工などのプレス成型加工が行われることで、所定の形状に形成される。
【００９９】
各種形状をした前記バスバー３０Ａ，３０Ｂ，３０Ｃ，３０Ｄ，３０Ｅ，３０Ｆ，３０Ｇ，３０Ｈ（図９）の符号を代表するものとして、バスバーは符号３０として示されている。また、ハウジング部材５０（図８）のハウジング本体５１に合わせられるバスバー３０の各端子部３３Ｆ（図９）の符号を代表するものとして、前記端子部は符号３３として示されている。また、各種形状をした上記端子部３６Ａ，３６Ｂ，３６Ｃ，３６Ｄ（図８，図９）の符号を代表するものとして、ハウジング部材５０に設けられた突出片５５と合わせられる端子部は、符号３６として示されている。また、各種形状をした前記電気接触部３７Ｅ，３７Ｆ，３７Ｇ，３７Ｈ（図９）の符号を代表するものとして、電気接触部は符号３７として示されている。
【０１００】
図８および図９の如く、各種バスバー３０に錫メッキＰが被覆されている。各種バスバー３０に「めっき処理」が施されることで、端子部３３，３６、又は電気接触部３７、又は音叉端子部３８、又は圧接端子部３９が、相手側端子もしくは相手側電気接触部と通電可能に接触された際に、接触安定性や、接続性が向上されることとなる。また、通電可能に接続される部分の酸化が防止されることとなる。
【０１０１】
溶接接続性及び接触安定性を向上させるために、少なくとも一方ないし両方の端子部もしくは電気接触部に「めっき処理」が施されていれば、端子部もしくは電気接触部の耐食性は向上される。また、長尺状に形成された各バスバー３０の全長に渡って、予め錫メッキＰなどのメッキ材Ｐが被覆されていれば、各バスバー３０が腐食されるといった不具合の発生は未然に防止されることとなる。これにより、長期に亘って安定された性能を維持できる各バスバー３０が使用可能となる。
【０１０２】
錫は、銀白色で金属光沢をもち、延性・展性に優れる性質を備えるものとされている。錫は、大気中で強く加熱されると酸化されるものであるが、常温状態において錆は発生されないものとされ、このようなことから、錫は、光沢が失われないものとされている。このように、錫は、空気中で変化され難い性質のものとされているから、鉄、鉄鋼、銅などの各種金属成形体の表面に錫鍍金が施されていれば、金属成形体の腐食は進行されず、金属成形体は長期に亘って錫鍍金の被覆層に保護されることとなる。
【０１０３】
配線板や、電気接続箱の仕様により、各バスバーに上記錫めっき等のめっき処理が行われずに、めっき処理が省略されたものも使用可能とされる。
【０１０４】
図９の如く、合成樹脂製の配線板１０，２０の裏側に、金属製バスバー３０の圧接端子部３９が挿着される一保持部２９や、タブ形状をした金属製バスバー３０の電気接触部３７が挿通される他の保持部２７などが、多数、設けられている。また、接続箱本体の基壁に配線板１０，２０などが確実に固定されるために、略円筒状に形成された複数の固定部２５，２６が、配線板２０を形成する基板部２１の裏側に設けられている。前記複数の固定部２５，２６に、ねじなどの止具（図示せず）が挿通される固定孔２５ａ，２６ａが設けられている。
【０１０５】
図９に示される多くの一保持部２９の収容部内に、バスバー３０の圧接端子部３９が備えられている。また、前記圧接端子部３９に圧接接続される電線９が、前記一保持部２９に挿通保持される。電線９すなわち布線９は、細い直径をした複数の軟銅線がより合わされて回路導体（図示せず）が構成され、不図示の回路導体の周囲にポリ塩化ビニル製の絶縁被覆体（図示せず）が設けられることで構成された断面略円形の線状体とされている。
【０１０６】
また、配線板１０，２０に電線９が配索される際に、配線板２０に設けられた円柱状突出部２４の側面に沿って、電線９が適度に曲げられることで、配線板２０に布線される電線９の延長方向が変えられる。配線板１０，２０は、布線シートとして取り扱われる。
【０１０７】
図８の如く、上側の配線板１０は、水平な略矩形状の基板部１１と、水平な略矩形状の基板部１１の周囲に設けられた垂直の各側板部１２１　，１２２　，１２３　とを備えるものとして形成され、このような配線板１０に複数の電線９が配索される。また、配線板１０を形成する側板部１２の一側板部１２１　に、回路を構成する複数の電線９の端部９ｃがまとめて配設されている。図９の如く、過半数の電線９の端部９ｃが、配線板１０の一側板部１２１　にまとめて配設されている。
【０１０８】
また、下側の配線板２０は、水平な略矩形状の基板部２１と、水平な略矩形状の基板部２１の周囲に設けられた垂直の各側板部２２１　，２２２　，２２３　とを備えるものとして形成され、このような配線板２０に、複数の電線９が配索される。また、配線板２０を形成する側板部２２の一側板部２２１　に、回路を構成する複数の電線９の端部９ｃがまとめて配設されている。過半数の電線９の端部９ｃが、配線板２０の一側板部２２１　にまとめて配設されている。
【０１０９】
図８および図９の如く、電線９の端部９ｃに対応して、配線板２０の一側板部２２１　に、複数の取付部２２ａが設けられ、複数の取付部２２ａに、複数の電線９の端部９ｃが固定されている。また、同じく、電線９の端部９ｃに対応して、配線板１０の一側板部１２１　に、複数の取付部１２ａが設けられ、複数の取付部１２ａに、複数の電線９の端部９ｃが固定されている。
【０１１０】
図９の如く、配線板２０の一側板部２２１　に設けられた取付部２２ａは、電線９の端部９ｃを保持可能な略凹状の溝２２ａとして形成され、この略凹状をした溝２２ａに電線９の端部９ｃが押入されている。また、同じく、配線板１０の一側板部１２１　に設けられた取付部１２ａは、電線９の端部９ｃを保持可能な略凹状の溝１２ａとして形成され、この略凹状をした溝１２ａに電線９の端部９ｃが押入されている。
【０１１１】
図８および図９の如く、電線９の端部９ｃに設けられた端面すなわちカッタなどの刃物（図示せず）による切断面は、図８の如く、上側の配線板１０を形成する水平な基板部１１と、基板部１１の周囲に形成された垂直な側板部１２との外側に位置するものとされている（図９）。また、電線９の端部９ｃに設けられた端面すなわち不図示の刃物による切断面は、下側の配線板２０を形成する水平な基板部２１と、基板部２１の周囲に形成された垂直な側板部２２との外側に位置するものとされている。
【０１１２】
このようにして、配線板１０，２０に複数の電線９が配索されていれば、複数の電線９の端部９ｃに設けられた切断面は、何れの切断面とも配線板１０，２０の布線エリア１０Ａ，２０Ａ内に存しないこととなる。布線エリア２０Ａとは、図９に例示される如く、基板部２１と、各側板部２２１　，２２２　，２２３　とで囲まれた配線板２０の内側の電線配索部を意味する。
【０１１３】
図８の如く、各金属製バスバー３０の一端に、タブ形状をした端子部３６が設けられている。また、金属製バスバー３０の他端に、同じくタブ形状をした端子部３３が設けられている。電源モジュール６に突設または貫設されたタブ形状の各端子部３３と、合成樹脂製の配線板１０に突設された端子部３６とは、これらが組付けられる合成樹脂製の接続箱本体７０Ｔ　（図６）に対し、上側に向けて延設されている。モジュールとは、装置、機械、システムが構成される部分のものとされ、機能的にまとめられたものを意味する。
【０１１４】
また、図８の如く、ハウジング部材５０に設けられた合成樹脂製の周壁５２の一端側から突出片５５が延設されて、合成樹脂製のハウジング本体５１と、合成樹脂製の突出片５５とが一体に成形されている。突出片５５は、略逆Ｌ字状に形成された薄肉状の板状部材として形成されている。
【０１１５】
図８の如く、突出片５５の肉薄部５５ｎに段差部５５ｊが設けられて、ハウジング部材５０の突出片５５に肉厚部５５ｍが形成されている。突出片５５の肉薄部５５ｎと、突出片５５の肉厚部５５ｍとは、同材質の合成樹脂材料が用いられて一体に成形されている。また、前記突出片５５の肉厚部５５ｍに、複数のバスバー３０の端子部３６が挿通される複数のキャビティ部５６が設けられている。キャビティとは、空隙もしくは空所または抜き穴を意味するものとされる。突出片５５の肉薄部５５ｎに、例えば突出片５５に対して別体の成形体として形成された肉厚部（５５ｍ）が取付けられたものも使用可能とされる。
【０１１６】
電気接続箱１Ｔ　を構成する接続箱本体７０Ｔ　と、電源モジュール６と、合成樹脂製の配線板１０とに、合成樹脂製のハウジング部材５０が装着されることで、タブ形状をした金属製の各端子部３３が、ハウジング部材５０を形成するハウジング本体５１の収容部５３内に突設して位置し、コネクタ部３が構成される。図８の如く、各端子部３３は、ハウジング本体５１に設けられた収容部５３の開口部５４内に位置するものとされている。
【０１１７】
また、前記コネクタ部３が構成されると共に、ハウジング部材５０の突出片５５に設けられた複数の前記キャビティ部５６に、配線板１０から上側に向けて突設された複数の前記端子部３６が挿通される。その際に、位置決めが行われずに傾けられていた複数の端子部３６は、図６および図８の如く、ハウジング部材５０の突出片５５に設けられた各キャビティ部５６に挿入される。これにより、複数の端子部３６は、略一直線上に整列されて矯正される。また、矯正された各端子部３６は、電子ユニット５に設けられた一コネクタ５Ｌ（図６）の各端子（図示せず）と通電可能に接続される。
【０１１８】
図６の如く、電子ユニット５、配線板１０などは、接続箱本体７０Ｔ　の収容部７３に内装される。また、ハウジング部材５０に設けられた突出片５５などのように、ハウジング部材５０の一部は、接続箱本体７０Ｔ　の内部に位置し、図７の如く、ハウジング部材５０のハウジング本体５１は、接続箱本体７０Ｔ　の外部に露出される。コネクタ部３は、不図示の外部ワイヤハーネスと容易に接続可能とされるために、電気接続箱１Ｔ　の外部に備えられている。
【０１１９】
図８の如く、電源モジュール６が容易に上側の配線板１０に組付けられるために、上側の配線板１０の基板部１１に段差部１１Ｂが設けられると共に、電源モジュール６の基板部６Ａの形状に対応した一段下側の他の基板部１１Ａが、配線板１０の上側の基板部１１から延設されている。配線板１０に設けられた上側の基板部１１と、一段下側の他の基板部１１Ａとは、段差部１１Ｂにより連結されて一体に成形されている。
【０１２０】
図８の如く、上側の配線板１０を形成する他の基板部１１Ａに、略円筒状をした位置合わせ部１５Ｂが設けられている。配線板１０の他の基板部１１Ａ上に設けられた略円筒状の位置合わせ部１５Ｂは、電源モジュール６の基板部６Ａよりも上側に突出されている。ハウジング部材５０が、電源モジュール６と、上側の配線板１０とに容易に取付けられるために、電源モジュール６の基板部６Ａの円形孔（図示せず）を通り抜けて、前記略円筒状の位置合わせ部１５Ｂが上側に向けて突設されている。略円筒状をした複数の前記位置合わせ部１５Ｂに対応して、ハウジング部材５０の突出片５５に、略円形孔をした複数の位置合わせ部５５ｂが設けられている。
【０１２１】
また、ハウジング部材５０が位置決めされつつ上側の配線板１０の基板部１１上に取付けられるために、配線板１０の基板部１１に、略円筒状をした複数の位置決め部１１ｈが設けられている。前記略円筒状をした複数の位置決め部１１ｈに対応して、ハウジング部材５０の突出片５５に、略円形孔をした複数の位置決め部５５ｈが設けられている。
【０１２２】
また、ハウジング部材５０の突出片５５に、略円孔状に形成された複数の固定部５５ｄが設けられると共に、電源モジュール６の基板部６Ａに、略円孔状に形成された複数の固定部６Ｄが設けられ、さらに、これらの固定部６Ｄ，５５ｄに対応して、上側の配線板１０に設けられた他の基板部１１Ａに、略円筒状に形成された複数の他の固定部（図示せず）が設けられると共に、図９の如く、下側の配線板２０の基板部２１に、略円筒状に形成された複数の他の固定部２６が設けられ、さらに配線板２０の収容部２０Ｐに他の電子ユニット４が備えられると共に、他の電子ユニット４の基板部などに略円形孔をした固定部（図示せず）が設けられ、これらの前記各固定部に、長尺状をしたねじ等の止具（図示せず）が挿通されて、ねじの螺合部（図示せず）などが、接続箱本体７０Ｔ　（図６）の底壁７１の固定部（図示せず）に螺合などされることで、ハウジング部材５０と、電源モジュール６と、上側の配線板１０と、下側の配線板２０と、他の電子ユニット４とが、共に接続箱本体７０Ｔ　に確実に固定される。
【０１２３】
図６に示される電子ユニット５が確実に電気接続箱１Ｔ　内に装着されるために、図８の如く、配線板１０を形成する基板部１１の上側に、固定孔１５ＡＬ　を備える複数の固定部１５Ａが突設されている。また、これと共に、配線板１０を形成する他の基板部１１Ａの上側に、固定孔１５ＢＬ　を備える複数の固定部１５Ｂが突設されている。
【０１２４】
配線板１０を形成する他の基板部１１Ａの上側に突設された略円筒状の固定部１５Ｂは、電源モジュール６や、ハウジング部材５０の取付位置方向が容易に判明されるための位置合わせ部１５Ｂを兼ねたものとして形成されている。略円筒状をした複数の前記固定部１５Ａ，１５Ｂに対応して、図６の如く、電子ユニット５の基板部５Ａに、略円形をした固定孔５ＶＬ　を有する複数の固定部５Ｖが設けられている。
【０１２５】
配線板１０の上層部に電子ユニット５が搭載されることで、配線板１０上の突出片５５に備えられた複数の雄端子３６と、電子ユニット５のコネクタ５Ｌに備えられた不図示の相手側端子とが通電可能に接続される。
【０１２６】
詳しく説明すると、上側の配線板１０およびハウジング部材５０の突出片５５から上側に向けて突設された各端子部３６と、電子ユニット５に設けられた一コネクタ５Ｌの各端子（図示せず）とが合わせられると共に、配線板１０の基板部１１に設けられた固定部１５Ａの固定孔１５ＡＬ　と、配線板１０の他の基板部１１Ａに設けられた固定部１５Ｂの固定孔１５ＢＬ　と、電子ユニット５の基板部５Ａに設けられた固定孔５ＶＬ　とが合わせられ、ねじ等の止具（図示せず）が、電子ユニット５の基板部５Ａに設けられた固定孔５ＶＬ　から、配線板１０の基板部１１に設けられた固定部１５Ａの固定孔１５ＡＬ　、又は他の基板部１１Ａに設けられた固定部１５Ｂの固定孔１５ＢＬ（図８）　へ挿通され、ねじの螺合部（図示せず）などが、図９に示される固定部２５の固定孔２５ａと螺合などされることで、電子ユニット５は、確実に配線板１０，２０と固定される。
【０１２７】
このような構造をした電気接続箱１Ｔ　とされていれば、配線板１０と、電子ユニット５とは、容易で確実に通電可能に接続されることとなる。また、電気接続箱１Ｔ　の組立工程の途中段階において、接続箱本体７０Ｔ　内に位置する配線板１０の上側に向けて立設された複数の雄端子３６は、図４および図５に示されるカバー６０が、図６に示される接続箱本体７０Ｔ　に仮固定されることにより、確実に保護されることとなる。
【０１２８】
また、コネクタ部３と、電子ユニット５とは、コネクタ部３と、電子ユニット５とが備えられる接続箱本体７０Ｔ　の上層部に隣り合って併設される。また、コネクタ部３と、電子ユニット５とは、接続箱本体７０Ｔ　の収容部７３内に装備される配線板１０の上方に並設される。
【０１２９】
このような配置構造をした電気接続箱１Ｔ　とされていれば、接続箱本体７０Ｔ　に対し、電子ユニット５は取付けられ易いものとなる。また、図７に示される電気接続箱１Ｔ　のコネクタ部３に、外部ワイヤハーネス（図示せず）のコネクタ（図示せず）が接続される際の接続作業は行われ易いものとなる。
【０１３０】
図６および図７に示される如く、ヒューズブロック８０が、電気接続箱１Ｔ　の前側に備えられている。ヒューズブロックとは、複数のヒューズが、ハウジング、ベース、ホルダなどの相手取付体に組付けられて一体とされた状態のブロック状部品を意味する。
【０１３１】
また、このヒューズブロック８０は、各ヒューズ（図示せず）を保護する合成樹脂製の前面カバー９０を備えるものとして構成されている。この前面カバー９０は、カバー本体９１と、このカバー本体９１の上側に設けられ、ヒューズブロック本体８１に対し着脱自在な一対のヒンジ部９２と、カバー本体９１の下側に設けられ、合成樹脂製のヒューズブロック本体８１に対し前面カバー９０が開閉される際に開閉動作が行われ易くされるための操作部９３とを備えるものとして形成されている。
【０１３２】
ヒューズブロック本体８１の前側に設けられた一対のヒンジ部８２に、前面カバー９０の上側に設けられた一対のヒンジ部９２が組付けられることで、ヒューズブロック本体８１に、前面カバー９０が開閉自在に取付けられる。このように、ヒューズブロック本体８１の前面にカバー９０が開閉自在に取付けられていれば、ヒューズブロック本体８１内部に装着された不図示の各ヒューズの交換などといったメンテナンスが行われ易いものとなる。
【０１３３】
また、ヒューズブロック本体８１の前部上側と、前部下側とに、係止突起８８，８９を備えるそれぞれ一対の係止部８８，８９が設けられている。ヒューズブロック本体８１の前部下側に設けられた一対の係止部８８に対応して、接続箱本体７０Ｔ　の前部下側に、矩形状をした係合孔７８を備える一対の係合部７８が設けられている。また、ヒューズブロック本体８１の前部上側に設けられた一対の係止部８９に対応して、ハウジング部材５０の前側の壁５２ｆに、矩形状をした係合孔５９を備える一対の係合部５９が設けられている。
【０１３４】
接続箱本体７０Ｔ　の前部下側に設けられた一対の係合部７８と、ヒューズブロック本体８１の前部下側に設けられた一対の係止部８８とが係り止めされることで、接続箱本体７０Ｔ　にヒューズブロック本体８１が確実に装着される。また、ヒューズブロック本体８１の前部上側に設けられた一対の係止部８９と、ハウジング部材５０の前側の壁５２ｆに設けられた一対の係合部５９とが係り止めされることで、接続箱本体７０Ｔ　と、接続箱本体７０Ｔ　に組付けられたヒューズブロック８０とに、ハウジング部材５０が組付けられる。
【０１３５】
図６および図７に示されるヒューズブロック本体８１の内部に、図９に示される複数層の各音叉端子部３８が備えられる。複数層の各音叉端子部３８は、各種バスバー３０が延設されて形成されたものとされる。
【０１３６】
図６の如く、内部に複数のブレード型ヒューズ（図示せず）を備えるヒューズブロック８０が、接続箱本体７０Ｔ　の前側に装着されることで、ヒューズブロック本体８１の内部に備えられた各ブレード型ヒューズのタブ端子（図示せず）と、図９に示される複数層の各音叉端子部３８とが通電可能に接続される。
【０１３７】
このように、不図示の各ブレード型ヒューズを内部に備えるヒューズブロック８０（図６）が用いられて、不図示の各ブレード型ヒューズのタブ端子が、図９に示される複数層の各音叉端子部３８と通電可能に接続される電気接続箱１Ｔ　（図６）とされていれば、複数のブレード型ヒューズ（図示せず）は、容易で迅速に電気接続箱１Ｔ　に装備されることとなる。従って、電気接続箱１Ｔ　に対し、不図示の各ブレード型ヒューズの取付作業性が向上される。
【０１３８】
電気接続箱の仕様により、図９に示される複数層の各音叉端子部３８に代えて、例えばタブ状端子や、雌型の端子が用いられたもの等（図示せず）も使用可能とされる。
【０１３９】
図６の如く、接続箱本体７０Ｔ　内に電子ユニット５が組付けられた後に、図４に示されるカバー６０が接続箱本体７０Ｔ　に被せられると共に、接続箱本体７０Ｔ　に組付けられることで、図７に示される如く、電気接続箱１Ｔ　が組立てられる。
【０１４０】
その際に、図６に示される接続箱本体７０Ｔ　の各本係合部７９に、図４に示されるカバー６０の本係止部６９が係り止めされることで、カバー６０は、ガタつくことなく確実に接続箱本体７０Ｔ　に取付けられる。また、これと同時に、図４および図５に示されるカバー６０の側壁６２ｄに設けられた複数の掛合部６２ｋと、図８に示されるハウジング部材５０の周壁５２に設けられた複数の掛止部５２ｋとが合わせられる。
【０１４１】
図７に示される電気接続箱１Ｔ　は、自動車メーカなどに製品として出荷される。また、自動車メーカなどにおいて、図６に示される電子ユニット５が、電気接続箱１Ｔ　を構成する接続箱本体７０Ｔ　に装着されてもよい。図７に示される電気接続箱１Ｔ　の点検や修理などが行われるとき以外は、接続箱本体７０Ｔ　に対して本ロックされたカバー６０が接続箱本体７０Ｔ　から取外されるという作業は、まず行われない。
【０１４２】
図７に示される電気接続箱１Ｔ　のコネクタ部３に、不図示の外部ワイヤハーネスのコネクタが通電可能に接続されると共に、電気接続箱１Ｔ　の他のコネクタ部５Ｐに、他の外部ワイヤハーネスのコネクタ（図示せず）が通電可能に接続される。このような電気接続箱１Ｔ　は、自動車などの電気配線に接続されるジャンクションボックス（Ｊ／Ｂと略称する）として用いられる。また、電気接続箱は、例えばリレーボックス（Ｒ／Ｂと略称する）等として用いられることも可能とされる。
【０１４３】
【発明の効果】
以上の如く、請求項１記載の発明によれば、各内装品が収容される接続箱本体と、接続箱本体に装着されて各内装品を保護するカバーとを備え、接続箱本体に対し、カバーは、正規の位置で本固定が可能とされると共に、正規の位置と異なる他の位置で仮固定が可能とされた電気接続箱とされているから、内装品を保護するための仮カバーが予め準備され、内装品が接続箱本体に収容されて電気接続箱が組み上げられるまでの間、仮カバーが接続箱本体に装着されて接続箱本体に収容された内装品が保護されるといったことは必要とされなくなる。内装品が接続箱本体に収容されて電気接続箱が組み上げられるまでの間は、カバーが接続箱本体に仮固定されることで、カバーにより接続箱本体に収容された内装品が保護されることとなる。また、カバーが接続箱本体に本固定されることで、電気接続箱が組み上げられる。従って、電気接続箱が組立てられる過程において、仮カバーは不必要なものとされることとなり、これにより、部品点数が増加されることなく、内装品はカバーにより確実に保護されることとなる。
【０１４４】
請求項２記載の発明によれば、接続箱本体にカバーが仮固定される際のカバーの取付方向は、接続箱本体にカバーが本固定される際のカバーの取付方向に対し、反対の方向とされているから、接続箱本体に各内装品が収容された状態のものとされているのか、又は、接続箱本体に一部の内装品だけが収容された状態のものとされているのかといったことが判別され易くなる。
【０１４５】
請求項３記載の発明によれば、接続箱本体の仮係止部に、カバーの仮係合部が係り合わされることで、接続箱本体にカバーが仮固定されるから、例えば組立途中の電気接続箱が移送される際に、接続箱本体に対しカバーは外れ難いものとなる。また、一部の内装品が収容された接続箱本体に他の内装品が組付けられる際に、接続箱本体に仮固定されたカバーは、多大な労力が必要とされることなく、接続箱本体から容易に取外されることとなる。
【０１４６】
請求項４記載の発明によれば、接続箱本体の本係合部に、カバーの本係止部が係り合わされることで、接続箱本体にカバーが本固定されるから、組立てられた電気接続箱の接続箱本体に対し、カバーが簡単に取外されるということはない。組立てられた電気接続箱において、接続箱本体からカバーが取外されるということは少ないため、接続箱本体にカバーが本固定されることで、接続箱本体に対し、カバーは確実に取付けられた状態に維持されることとなる。
【０１４７】
請求項５記載の発明によれば、カバーにガイド部が設けられ、ガイド部に対応して接続箱本体にガイド受け部が設けられ、接続箱本体にカバーが仮固定される際に、ガイド部と、ガイド受け部とが合わせられ、且つ、接続箱本体にカバーが本固定される際に、ガイド部と、ガイド受け部とが合わせられる電気接続箱とされているから、接続箱本体に対し、カバーが仮固定または本固定される際に、カバーは、位置ずれされることなく容易に位置決めされて接続箱本体に取付けられることとなる。
【０１４８】
請求項６記載の発明によれば、カバーに他のガイド部が設けられ、他のガイド部に対応して接続箱本体に他のガイド受け部が設けられ、接続箱本体にカバーが仮固定される際に、他のガイド部と、他のガイド受け部とは不一致の状態とされ、接続箱本体にカバーが本固定される際に、他のガイド部と、他のガイド受け部とが合わせられる電気接続箱とされているから、接続箱本体に対し、カバーが仮固定または本固定される際に、カバーに設けられた他のガイド部が確認されつつ、接続箱本体にカバーが取付けられることとなる。従って、接続箱本体に対するカバーの誤組付けが防止されることとなる。
【０１４９】
請求項７記載の発明によれば、カバーの他のガイド部に仮係合部が設けられ、接続箱本体を形成する側壁に仮係止部が設けられた電気接続箱とされているから、接続箱本体を形成する側壁の仮係止部に、カバーに設けられた他のガイド部の仮係合部が係り合わされることで、カバーは、接続箱本体に容易で確実に仮固定されることとなる。
【０１５０】
請求項８記載の発明によれば、カバーを形成する側壁に本係止部が設けられ、本係止部に対応して接続箱本体を形成する側壁に本係合部が設けられた電気接続箱とされているから、接続箱本体を形成する側壁の本係合部に、カバーを形成する側壁の本係止部が係り合わされることで、カバーは、接続箱本体に容易で確実に本固定されることとなる。
【０１５１】
請求項９記載の発明によれば、各内装品として、端子が立設された配線板と、端子に対応した相手側端子を備えるコネクタ付の電子ユニットとが用いられ、配線板の上層部に電子ユニットが搭載されることで、端子と、相手側端子とが通電可能に接続される電気接続箱とされているから、配線板と、電子ユニットとは、容易で確実に通電可能に接続されることとなる。また、電気接続箱の組立工程の途中段階において、配線板に立設された端子は、カバーが接続箱本体に仮固定されることにより、確実に保護されることとなる。
【０１５２】
請求項１０記載の発明によれば、端子は、配線板に装着されたバスバーの一方に設けられ、バスバーの他方と、配線板に配索された電線とが接続されて、配線板に電気回路が構成され、電子ユニットに装着されたコネクタは、コネクタに装備された相手側端子の一部が、電子ユニットを構成する基板の回路導体にはんだ付けされたＰＣＢ用コネクタとして用いられているから、配線板のバスバーの一方に設けられた端子と、電子ユニットに装着されたＰＣＢ用コネクタとにより、配線板と、電子ユニットとは、確実に通電可能に接続されて電気回路が機能されることとなる。
【０１５３】
請求項１１記載の発明によれば、接続箱本体に内装品を収容し、接続箱本体にカバーを仮固定させて内装品を保護し、接続箱本体からカバーを取外し、内装品に他の内装品を装着させた後に、接続箱本体にカバーを本固定させる電気接続箱の製造方法とされているから、内装品を保護するための仮カバーを予め準備し、内装品を接続箱本体に収容させて電気接続箱を組み上げるまでの間、仮カバーを接続箱本体に装着させて接続箱本体に収容された内装品を保護するといったことは必要とされなくなる。内装品を接続箱本体に収容させて電気接続箱を組み上げるまでの間は、接続箱本体にカバーを仮固定させて、接続箱本体に収容された内装品をカバーにより保護させる。また、電気接続箱を組み上げる際には、カバーを接続箱本体に本固定させる。これにより、電気接続箱を組立てる工程において、仮カバーは不必要なものとされ、電気接続箱を製造する際に部品点数が増加するということもなく、カバーにより内装品を確実に保護させることが可能となる。
【図面の簡単な説明】
【図１】本発明に係る電気接続箱およびその製造方法の一実施形態を示す斜視図である。
【図２】同じくカバーが電気接続箱に本係止される状態を示す斜視図である。
【図３】接続箱本体に内装品が収容された状態を示す斜視図である。
【図４】カバーの外部を示す斜視図である。
【図５】同じくカバーの内部を示す斜視図である。
【図６】本発明に係る電気接続箱およびその製造方法の他の実施形態を示し、内装品が収容された接続箱本体に他の内装品が装着される状態を示す分解斜視図である。
【図７】同じく電気接続箱の組立状態を示す斜視図である。
【図８】内装品を示す斜視図である。
【図９】同じく内装品の裏側を示す斜視図である。
【図１０】従来の電気接続箱の一形態を示す分解斜視図である。
【符号の説明】
１，１Ｔ　　　　　電気接続箱
５　　　　　　　電子ユニット（内装品）
５Ａ　　　　　　基板
５Ｂ　　　　　　回路導体
５Ｌ　　　　　　コネクタ
９　　　　　　　布線（電線）
１０，１０１　，１０２　，２０　配線板（内装品）
３０，３０Ａ〜３０Ｄ　バスバー
３６，３６Ａ〜３６Ｄ　端子部（端子）
６０　　　　　　上側カバー（カバー）
６２ａ〜６２ｄ　側壁
６４　　　　　　仮係合孔（仮係合部）
６７　　　　　　ガイド片（ガイド部）
６７Ｔ　　　　　他のガイド片（他のガイド部）
６９　　　　　　本係止部
７０，７０Ｔ　　　接続箱本体
７２ａ〜７２ｃ，７２ａＴ　〜７２ｃＴ　　側壁
７４　　　　　　仮係止突起（仮係止部）
７７　　　　　　ガイド溝（ガイド受け部）
７７Ｔ　　　　　他のガイド溝（他のガイド受け部）
７９　　　　　　本係合溝部（本係合部）
【図１】
2004096899.tif 000003
【図２】
2004096899.tif 000004
【図３】
2004096899.tif 000005
【図４】
2004096899.tif 000006
【図５】
2004096899.tif 000007
【図６】
2004096899.tif 000008
【図７】
2004096899.tif 000009
【図８】
2004096899.tif 000010
【図９】
2004096899.tif 000011
【図１０】
2004096899.tif 000012